(57)【要約】【課題】  予め携帯端末と情報構築サーバとの間で決められた帳票コードにより最小限の情報を送信することで十分な文書を作成することができ、作成した文書を様々な形式で出力できる帳票作成システムを提供する。【解決手段】  この帳票作成システムは、携帯端末１００から帳票情報を情報構築サーバ１１０にネットワーク２００を介して送信し、情報構築サーバ１１０は携帯端末１００からの帳票情報に基づいて文書を構築し、この文書を出力手段１２０を通して出力することを特徴とする。また、帳票情報が、予め携帯端末１００と情報構築サーバ１１０との間で決められデータと対応して構築されている帳票コードであることを特徴とする。【選択図】      図１
2005258766.tif 000002
【特許請求の範囲】
【請求項１】
携帯端末から帳票情報を情報構築サーバにネットワークを介して送信し、前記情報構築サーバは前記携帯端末からの前記帳票情報に基づいて文書を構築し、この文書を出力手段を通して出力することを特徴とする帳票作成システム。
【請求項２】
前記帳票情報が、予め前記携帯端末と前記情報構築サーバとの間で決められたデータと対応して構築されている帳票コードであることを特徴とする請求項１記載の帳票作成システム。
【請求項３】
前記情報構築サーバが、予め前記携帯端末と前記情報構築サーバとの間で決められた前記帳票コードが帳票を構成するデータと対応して構築されている帳票データベースと、前記携帯端末からの前記帳票情報を基に前記帳票データベースにある前記データとを組み合わせ帳票等の文書を構築する帳票作成部と、前記出力手段に前記帳票を出力する帳票出力部とを備えることを特徴とする請求項１または２記載の帳票作成システム。
【請求項４】
前記出力手段がプリンタまたはファクシミリまたはコンピュータであることを特徴とする請求項１，２または３記載の帳票作成システム。
【請求項５】
携帯端末から帳票情報を情報構築サーバにネットワークを介して送信し、前記情報構築サーバは前記携帯端末からの前記帳票情報に基づいて文書を構築し、この文書を出力手段を通して出力することを特徴とする帳票作成方法。
【請求項６】
前記帳票情報が、予め前記携帯端末と前記情報構築サーバとの間で決められたデータと対応して構築されている帳票コードであることを特徴とする請求項５記載の帳票作成方法。
【請求項７】
前記情報構築サーバが、予め前記携帯端末と前記情報構築サーバとの間で決められた前記帳票コードが帳票を構成するデータと対応して構築されている帳票データベースと、前記携帯端末からの前記帳票情報を基に前記帳票データベースにある前記データとを組み合わせ帳票等の文書を構築する帳票作成部と、前記出力手段に前記帳票を出力する帳票出力部とを備えることを特徴とする請求項５または６記載の帳票作成方法。
【請求項８】
前記出力手段がプリンタまたはファクシミリまたはコンピュータであることを特徴とする請求項５，６または７記載の帳票作成方法。
【請求項９】
コンピュータに、携帯端末から帳票情報を情報構築サーバにネットワークを介して送信し、前記情報構築サーバは前記携帯端末からの前記帳票情報に基づいて文書を構築し、この文書を出力手段を通して出力することを実現させるための帳票作成用プログラム。
【発明の詳細な説明】
【技術分野】
【０００１】
本発明は帳票作成システムに関し、特に、予め携帯端末と情報構築サーバとの間で決められた帳票コードにより最小限の情報を送信することで十分な文書を作成することができ、作成した文書を様々な形式で出力できる帳票作成システムに関する。
【背景技術】
【０００２】
従来の帳票作成システムは、携帯電話やＰＤＡ（Ｐｅｒｓｏｎａｌ  Ｄｉｇｉｔａｌ  
Ａｓｓｉｓｔａｎｔｓ：携帯型データ端末）で受信した電子メールや電子メールに添付されるファイルやホームページ等の情報をプリントするシステムが示されている（例えば、特許文献１参照）。
【０００３】
【特許文献１】特開２０００−３３９２３７号公報（第８−１４頁、図１）
【発明の開示】
【発明が解決しようとする課題】
【０００４】
この従来の帳票作成システムの第１の問題点は、携帯端末とデータをやり取りする場合、携帯端末の情報量に限りがあるため、情報が不足しがちになっている、ということである。
【０００５】
第２の問題点は、情報を十分にやり取りするためには、携帯端末から多量のデータを送信する必要があり、通信料が莫大になる場合がある、ということである。
【０００６】
本発明の目的は、予め携帯端末と情報構築サーバとの間で決められた帳票コードにより最小限の情報を送信することで十分な文書を作成することができ、作成した文書を様々な形式で出力できる帳票作成システムを提供することにある。
【課題を解決するための手段】
【０００７】
本発明の帳票作成システムは、携帯端末から帳票情報を情報構築サーバにネットワークを介して送信し、前記情報構築サーバは前記携帯端末からの帳票情報に基づいて文書を構築し、この文書を出力手段を通して出力することを特徴とする。
【０００８】
また、本発明の帳票作成システムは、前記帳票情報が、予め前記携帯端末と前記情報構築サーバとの間で決められデータと対応して構築されている帳票コードであることを特徴とする。
【０００９】
さらに、本発明の帳票作成システムは、前記情報構築サーバが、予め前記携帯端末と前記情報構築サーバとの間で決められた帳票コードが帳票を構成するデータと対応して構築されている帳票データベースと、前記携帯端末からの前記帳票情報を基に前記帳票データベースにある前記データとを組み合わせ帳票等の文書を構築する帳票作成部と、前記出力手段に前記帳票を出力する帳票出力部とを備えることを特徴とする。
【００１０】
さらに、本発明の帳票作成システムは、前記出力手段がプリンタまたはファクシミリまたはコンピュータであることを特徴とする。
【発明の効果】
【００１１】
第１の効果は、予め帳票コードを決めておき、最小限の情報を送信することで、十分な文書を作成することができることである。
【００１２】
第２の効果は、作成した文書を様々な形式で出力できるため、様々な確認ができることである。
【００１３】
第３の効果は、情報をコード化することでセキュリティを高めることができることである。
【発明を実施するための最良の形態】
【００１４】
次に、本発明の実施の形態について図面を参照して詳細に説明する。
【００１５】
本発明は、携帯電話等の携帯端末と情報構築サーバとを接続することで、少ない情報を元に、帳票等の文書を作成するものである。
【００１６】
本発明の一実施の形態をブロックで示す図１を参照すると、この実施の形態の帳票作成システムは、携帯端末１００から情報を情報構築サーバ１１０にネットワーク２００を介して送信し、情報構築サーバ１１０は文書を自動的に構築し、プリンタ１２０等を通して出力するものである。
【００１７】
携帯端末１００は、情報構築サーバ１１０に情報を送信することが可能である。
【００１８】
情報構築サーバ１１０は、携帯端末１００からの情報を基に、帳票データベース（以下、帳票ＤＢ）１１３にある情報を組み合わせ、帳票作成部１１１にて帳票等の文書を構築する。帳票ＤＢ１１３には、予め携帯端末１００と情報構築サーバ１１０との間で決められた帳票コードが、図２に示すように、データと対応して構築されている。
【００１９】
作成された帳票等の文書は、印字データに変換され、帳票出力部１１２を介してプリンタ１２０を通して出力されたり、ＦＡＸデータに変換されＦＡＸ１３０を通して出力されたり、電子データに変換されコンピュータ１４０を通して表示される。
【００２０】
次に、図１、図２及び図３を参照して、この実施の形態の動作について、担当者が客先にて折衝した情報を基に、帳票を作成する場合を説明する。
【００２１】
担当者は、携帯端末１００を通して、情報構築サーバ１１０にアクセスする。携帯端末１００は、予め情報構築サーバ１１０との間で取り決めておいた帳票コードによりコード化された必要最小限の情報を、情報構築サーバ１１０に送信する（Ｓ１）。
【００２２】
この時、携帯端末１００と情報構築サーバ１１０との間の通信については、予め取り決めた帳票コードによりコード化された情報となるため、セキュリティは高いものとなる。さらに暗号化等の手段を併用することでさらにセキュリティは高くなる。
【００２３】
情報構築サーバ１１０では、携帯端末１１０から入手した情報に従い、適宜必要な情報を帳票ＤＢ１１３から取得し、帳票を構築する（Ｓ２）。帳票作成が終わると、情報構築サーバ１１０は、帳票を出力する（Ｓ４、Ｓ５）。
【００２４】
プリンタ１２０を通して印刷して担当者の上司に確認してもらこともできる（Ｓ３）。ＦＡＸ形式に変換して、担当者の近くのＦＡＸ１３０に送信して、担当者が確認することもできる。
【００２５】
電子データに変換して担当者のお客様のコンピュータ１４０に直接メールで送信することもできる。
【００２６】
また、図４に示すように、携帯端末１００と情報構築サーバ１１０との間で決められた帳票コードを、随時変更が可能にしておく。これにより、様々な文書を簡単に構築することができる。
【００２７】
また、上述の帳票作成システムは、コンピュータに、携帯端末から帳票情報を情報構築サーバにネットワークを介して送信し、情報構築サーバは携帯端末からの帳票情報に基づいて文書を構築し、この文書を出力手段を通して出力することを実現させることができる。
【図面の簡単な説明】
【００２８】
【図１】本発明の一実施の形態の構成を示すブロック図である。
【図２】この実施の形態における帳票ＤＢに構築されている帳票コードとデータとの変換テーブルを示す図である。
【図３】この実施の形態おける動作の一例を示すフローチャートである。
【図４】この実施の形態における帳票ＤＢに構築されている帳票コードとデータとを随時変更可能である変換テーブルを示す図である。
【符号の説明】
【００２９】
１００    携帯端末
１１０    情報構築サーバ
１１１    帳票作成部
１１２    帳票出力部
１１３    帳票ＤＢ
１２０    プリンタ
１３０    ＦＡＸ
１４０    コンピュータ
２００    ネットワーク
【図１】
2005258766.tif 000003
【図２】
2005258766.tif 000004
【図３】
2005258766.tif 000005
【図４】
2005258766.tif 000006